(57)【要約】【課題】読取対象の原稿を用いて利用者認証及び設定を行う画像読取装置、及び該画像読取装置の使用方法を報知する画像記録装置の提供。【解決手段】複数の原稿を組合わせて読込むモードである場合（Ｓ１１：ＹＥＳ）、原稿台に原稿があるか否かを判断し（Ｓ１２）、原稿台に原稿がある場合（Ｓ１２：ＹＥＳ）、原稿台及びＡＤＦから原稿読取を行う（Ｓ１３）。次いで、原稿台に載置されている原稿の配置は適切であるか否かを判断し（Ｓ１４）、原稿の配置が適切であると判断した場合（Ｓ１４：ＹＥＳ）、原稿の配置と設定との関係を規定した設定した設定テーブルに従って設定を反映させ（Ｓ１５）、印刷データを生成する（Ｓ１６）。【選択図】図５
2007282115.tif 000002
【特許請求の範囲】
【請求項１】
原稿を載置すべき原稿台と、該原稿台に載置された原稿から画像を読取る読取手段とを備え、該読取手段が読取った画像に基づく処理を実行する画像読取装置において、
前記原稿台に載置された原稿の位置及び向きを検出する検出手段と、実行すべき処理に係る処理情報と前記原稿台に載置される原稿の位置及び向きに係る情報とを関連付けて記憶する記憶手段と、前記検出手段が検出した位置及び向きに関連付けて記憶してある処理情報に従って処理を実行する手段とを備えることを特徴とする画像読取装置。
【請求項２】
前記読取手段は、前記原稿台に載置された複数の原稿の画像を読取るようにしてあることを特徴とする請求項１に記載の画像読取装置。
【請求項３】
原稿を載置すべき原稿台と、該原稿台に載置された原稿から画像を読取る読取手段とを備え、該読取手段が読取った画像に基づく処理を実行する画像読取装置において、
原稿及び該原稿と共に載置された媒体を前記読取手段にて読取るようにしてあり、前記原稿台に載置された原稿及び媒体の位置及び向きを検出する検出手段と、実行すべき処理に係る処理情報と前記原稿台に載置される原稿及び媒体の位置及び向きに係る情報とを関連付けて記憶する記憶手段と、前記検出手段が検出した位置及び向きに関連付けて記憶してある処理情報に従って処理を実行する手段とを備えることを特徴とする画像読取装置。
【請求項４】
原稿を載置すべき原稿台と、該原稿台に載置された原稿から画像を読取る読取手段とを備え、該読取手段が読取った画像に基づく処理を実行する画像読取装置において、
読取用の媒体及び原稿を前記読取手段にて順次的に読取るようにしてあり、前記原稿台に載置された媒体の位置及び向きを検出する検出手段と、実行すべき処理に係る処理情報と前記原稿台に載置される媒体の位置及び向きに係る情報とを関連付けて記憶する記憶手段と、前記検出手段が検出した位置及び向きに関連付けて記憶してある処理情報に従って処理を実行する手段とを備えることを特徴とする画像読取装置。
【請求項５】
前記記憶手段に記憶してある処理情報は、前記処理に対する設定条件であり、該設定条件に従って実行すべき処理に対する設定を行う手段を備えることを特徴とする請求項１乃至請求項４の何れか１つに記載の画像読取装置。
【請求項６】
前記検出手段が検出した位置及び向きが所定の位置及び向きであるか否かを判断する手段を備え、所定の位置及び向きであると判断した場合、前記設定を実行しないようにしてあることを特徴とする請求項５に記載の画像読取装置。
【請求項７】
前記記憶手段に記憶してある処理情報は、利用者についての認証情報であり、該認証情報を用いて利用者に対する認証処理を実行する手段を備えることを特徴とする請求項１乃至請求項５の何れか１つに記載の画像読取装置。
【請求項８】
前記検出手段による検出の要否に係る選択を受付ける手段と、不要である旨の選択を受付けた場合、前記検出手段による検出を実行しないようにしてあることを特徴とする請求項１乃至請求項５の何れか１つに記載の画像読取装置。
【請求項９】
実行すべき処理に係る処理情報と、該処理情報に関連付けて記憶すべき原稿の位置及び向きに係る情報とを受付ける手段を備え、受付けた２つの情報を関連付けて前記記憶手段に記憶するようにしてあることを特徴とする請求項１又は請求項２に記載の画像読取装置。
【請求項１０】
実行すべき処理に係る処理情報と、該処理情報に関連付けて記憶すべき原稿及び媒体の位置及び向きに係る情報とを受付ける手段を備え、受付けた２つの情報を関連付けて前記記憶手段に記憶するようにしてあることを特徴とする請求項３に記載の画像読取装置。
【請求項１１】
実行すべき処理に係る処理情報と、該処理情報に関連付けられている原稿の位置及び向きに係る情報とを外部から取得する手段と、前記検出手段が載置された原稿の位置及び向きを検出した場合、外部から取得した情報に基づいて実行すべき処理を決定する手段とを備えることを特徴とする請求項１又は請求項２に記載の画像読取装置。
【請求項１２】
実行すべき処理に係る処理情報と、該処理情報に関連付けられている原稿及び媒体の位置及び向きに係る情報とを外部から取得する手段と、前記検出手段が載置された原稿及び媒体の位置及び向きを検出した場合、外部から取得した情報に基づいて実行すべき処理を決定する手段とを備えることを特徴とする請求項３に記載の画像読取装置。
【請求項１３】
画像データに基づく画像をシート上に記録する画像記録装置において、
請求項１乃至請求項１２の何れか１つに記載の画像読取装置の使用方法を報知する手段を備えることを特徴とする画像記録装置。
【請求項１４】
利用者が認証されたか否かを判断する手段と、利用者が認証されていないと判断した場合、前記使用方法の報知を禁止する手段とを備えることを特徴とする請求項１３に記載の画像記録装置。
【発明の詳細な説明】
【技術分野】
【０００１】
本発明は、原稿台に載置された原稿の配置によって実行すべき処理を決定する画像読取装置及び該画像読取装置の使用方法を報知する画像記録装置に関する。
【背景技術】
【０００２】
近年、プリンタ機能を有する複写機にファクシミリ機能を搭載した複合機が普及している。このような装置においては、プリンタ機能の拡張に伴い、カラー複写機能及びカラーファクシミリ通信機能等も搭載されつつある。このような多機能化が進む装置は、それぞれの機能における各種の条件を適切に設定することにより、利用者が所望する条件にて各種の機能を有効に実行させることができる。
【０００３】
このような装置における各種の設定条件は、各設定条件毎に操作パネル上に設定画面を表示させ、順次設定画面を切り替えて設定しなければならない。したがって、作業に慣れた利用者が行った場合であってもかなりの作業時間が必要であり、装置の操作に慣れていない利用者にとっては非常に煩雑なキー操作が必要である。そこで、従来では、各種の設定情報を記載した用紙を読取ってＯＣＲ（Optical Character Reader）によって文字認識を行い、取得した設定内容に設定する装置が提案されている（例えば、特許文献１参照）。この装置は、各種の設定条件に対応するチェック欄にチェックが記入された用紙を読取ってチェックされた設定条件を認識し、認識した設定内容に設定されるように構成されている。
【０００４】
一方、パーソナルコンピュータのような情報処理装置にて作成されたドキュメント、グラフィックス等のデータに基づく画像を、プリンタ、デジタル複合機等の画像記録装置にて用紙に記録するプリントシステムが実用化されている。情報処理装置で扱うデータには、企業秘密を記載したデータが含まれている場合があり、このような機密性を有するデータが不用意に漏洩しないように、使用する際に各利用者の認証を行うことによって正当な利用者のみに使用を制限する装置が普及している。
【０００５】
各利用者を認証する方法としては、各機器に予め利用者ＩＤ及びパスワードを登録しておき、各利用者が機器の使用時に入力した利用者ＩＤ及びパスワードが登録されているものと一致するか否かに基づき認証を行う方法が用いられる場合が多い。しかし、各利用者は機器を使用する都度利用者ＩＤ及びパスワードを入力しなければならず、操作性及び利便性がよくないため、複数のバーコードを所定の順序で読取ることにより利用者を認証する装置が提案されている（例えば、特許文献２参照）。
【特許文献１】特開２０００−３５３１７１号公報
【特許文献２】特開２００３−３４５７６０号公報
【発明の開示】
【発明が解決しようとする課題】
【０００６】
しかしながら、特許文献１で開示された装置では、ＯＣＲの精度によっては用紙から設定情報を確実に取得できない虞がある。また、チェック欄にチェックを記入する場合、又は用紙に所望の設定情報を記載する場合には、筆記具が必要となり、利用者の手間がかかるという問題点を有している。
【０００７】
また、特許文献２で示すように、バーコードを用いて各種の処理を行う装置においては、バーコードを読取るバーコードリーダを別途設ける必要がある。また、用いるバーコードの数が多い場合、各バーコードの読取り順序が煩雑となるので利用者の負担が増大し、バーコードの数が少ない場合、第三者によるなりすましを防止することができなくなる虞があるという問題点を有している。
【０００８】
本発明は斯かる事情に鑑みてなされたものであり、原稿台に載置された原稿の位置及び向きを検出することにより処理の実行に必要な情報を読出し、その情報に従って処理を実行することができる画像読取装置を提供することを目的とする。
【０００９】
本発明の他の目的は、前述の画像読取装置の使用方法を報知することができる画像記録装置を提供することにある。
【課題を解決するための手段】
【００１０】
本発明に係る画像読取装置は、原稿を載置すべき原稿台と、該原稿台に載置された原稿から画像を読取る読取手段とを備え、該読取手段が読取った画像に基づく処理を実行する画像読取装置において、前記原稿台に載置された原稿の位置及び向きを検出する検出手段と、実行すべき処理に係る処理情報と前記原稿台に載置される原稿の位置及び向きに係る情報とを関連付けて記憶する記憶手段と、前記検出手段が検出した位置及び向きに関連付けて記憶してある処理情報に従って処理を実行する手段とを備えることを特徴とする。
【００１１】
本発明にあっては、実行すべき処理に係る処理情報と原稿台に載置される原稿の位置及び向きに係る情報とを関連付けて記憶する記憶手段を備えており、原稿台に載置された原稿の位置及び向きを検出し、検出された原稿の位置及び向きに対応した処理情報を読出して処理を実行するようにしている。したがって、操作パネル、又はバーコードが記載された特別なシートなどを用いることなく、読取用の原稿のみを用いることにより、利用者認証、実行すべき処理に対する設定が行える。
【００１２】
本発明に係る画像読取装置は、前記読取手段は、前記原稿台に載置された複数の原稿の画像を読取るようにしてあることを特徴とする。
【００１３】
本発明にあっては、原稿台に載置された複数の原稿の画像を読取るようにしている。複数の原稿の組合わせによって処理に対する設定条件、認証条件を定めることができるため、操作パネル、又はバーコードが記載された特別なシートなどを用いることなく、多種の設定、多人数に対する利用認証が行える。
【００１４】
本発明に係る画像読取装置は、原稿を載置すべき原稿台と、該原稿台に載置された原稿から画像を読取る読取手段とを備え、該読取手段が読取った画像に基づく処理を実行する画像読取装置において、原稿及び該原稿と共に載置された媒体を前記読取手段にて読取るようにしてあり、前記原稿台に載置された原稿及び媒体の位置及び向きを検出する検出手段と、実行すべき処理に係る処理情報と前記原稿台に載置される原稿及び媒体の位置及び向きに係る情報とを関連付けて記憶する記憶手段と、前記検出手段が検出した位置及び向きに関連付けて記憶してある処理情報に従って処理を実行する手段とを備えることを特徴とする。
【００１５】
本発明にあっては、実行すべき処理に係る処理情報と原稿台に載置される原稿及び媒体の位置及び向きに係る情報とを関連付けて記憶する記憶手段を備えており、原稿台に載置された原稿及び媒体の位置及び向きを検出し、検出された位置及び向きに対応した処理情報を読出して処理を実行するようにしている。したがって、操作パネル、バーコードが記載された特別なシートなどを用いることなく、読取用の原稿と媒体とを組合わせて使用することにより、利用者認証、実行すべき処理に対する設定が行える。特に媒体の面積を原稿の面積より小さくすることにより、読取領域が小さな原稿台が搭載されている機種であっても適用可能となる。
【００１６】
本発明に係る画像読取装置は、原稿を載置すべき原稿台と、該原稿台に載置された原稿から画像を読取る読取手段とを備え、該読取手段が読取った画像に基づく処理を実行する画像読取装置において、読取用の媒体及び原稿を前記読取手段にて順次的に読取るようにしてあり、前記原稿台に載置された媒体の位置及び向きを検出する検出手段と、実行すべき処理に係る処理情報と前記原稿台に載置される媒体の位置及び向きに係る情報とを関連付けて記憶する記憶手段と、前記検出手段が検出した位置及び向きに関連付けて記憶してある処理情報に従って処理を実行する手段とを備えることを特徴とする。
【００１７】
本発明にあっては、実行すべき処理に係る処理情報と原稿台に載置される媒体の位置及び向きに係る情報とを関連付けて記憶する記憶手段を備えており、原稿台に順次的に載置された媒体の位置及び向きを検出し、検出された位置及び向きに対応した処理情報を読出して処理を実行するようにしている。したがって、操作パネル、又はバーコードが記載された特別なシートなどを用いることなく、読取用の原稿と媒体とを組合わせて使用することにより、利用者認証、実行すべき処理に対する設定が行える。特に媒体の面積を原稿の面積より小さくすることにより、読取領域が小さな原稿台が搭載されている機種であっても適用可能となる。
【００１８】
本発明に係る画像読取装置は、前記記憶手段に記憶してある処理情報は、前記処理に対する設定条件であり、該設定条件に従って実行すべき処理に対する設定を行う手段を備えることを特徴とする。
【００１９】
本発明にあっては、記憶手段に記憶してある処理情報は、処理に対する設定条件である。この設定条件としては、２ＵＰ印刷、４ＵＰ印刷、ステープル処理、穿孔処理、電子メール送信処理などが挙げられる。
【００２０】
本発明に係る画像読取装置は、前記検出手段が検出した位置及び向きが所定の位置及び向きであるか否かを判断する手段を備え、所定の位置及び向きであると判断した場合、前記設定を実行しないようにしてあることを特徴とする。
【００２１】
本発明にあっては、所定の位置及び向きに載置された原稿を検出した場合、設定を実行しないようにしているため、不正な利用者による使用が制限される。
【００２２】
本発明に係る画像読取装置は、前記記憶手段に記憶してある処理情報は、利用者についての認証情報であり、該認証情報を用いて利用者に対する認証処理を実行する手段を備えることを特徴とする。
【００２３】
本発明にあっては、記憶手段に記憶してある処理情報は、利用者認証を行うために認証情報であるため、認証されない利用者による不正使用が制限される。
【００２４】
本発明に係る画像読取装置は、前記検出手段による検出の要否に係る選択を受付ける手段と、不要である旨の選択を受付けた場合、前記検出手段による検出を実行しないようにしてあることを特徴とする。
【００２５】
本発明にあっては、検出手段による検出の要否に係る選択を受付け、検出が不要である旨の選択を受付けた場合、検出手段による検出を実行しないようにしてあるため、検出機能をオフにした場合には、配置された通りの原稿の読取りが可能となる。
【００２６】
本発明に係る画像読取装置は、実行すべき処理に係る処理情報と、該処理情報に関連付けて記憶すべき原稿の位置及び向きに係る情報とを受付ける手段を備え、受付けた２つの情報を関連付けて前記記憶手段に記憶するようにしてあることを特徴とする。
【００２７】
本発明にあっては、実行すべき処理に係る処理情報と原稿の位置及び向きに係る情報とを受付け、受付けた２つの情報を関連付けて記憶手段に記憶するようにしているため、利用者自身がよく使用する設定を覚えやすい原稿配置に設定しておくことが可能となり、利便性が向上する。
【００２８】
本発明に係る画像読取装置は、実行すべき処理に係る処理情報と、該処理情報に関連付けて記憶すべき原稿及び媒体の位置及び向きに係る情報とを受付ける手段を備え、受付けた２つの情報を関連付けて前記記憶手段に記憶するようにしてあることを特徴とする。
【００２９】
本発明にあっては、実行すべき処理に係る処理情報と原稿及び媒体の位置及び向きに係る情報とを受付け、受付けた２つの情報を関連付けて記憶手段に記憶するようにしているため、利用者自身がよく使用する設定を覚えやすい原稿及び媒体の配置に設定しておくことが可能となり、利便性が向上する。
【００３０】
本発明に係る画像読取装置は、実行すべき処理に係る処理情報と、該処理情報に関連付けられている原稿の位置及び向きに係る情報とを外部から取得する手段と、前記検出手段が載置された原稿の位置及び向きを検出した場合、外部から取得した情報に基づいて実行すべき処理を決定する手段とを備えることを特徴とする。
【００３１】
本発明にあっては、実行すべき処理に係る処理情報と原稿の位置及び向きに係る情報との関係を外部から取得するようにしているため、例えば、これらの情報をサーバ装置で管理することがき、複数の画像読取装置で同一の対応表を用いることができる。
【００３２】
本発明に係る画像読取装置は、実行すべき処理に係る処理情報と、該処理情報に関連付けられている原稿及び媒体の位置及び向きに係る情報とを外部から取得する手段と、前記検出手段が載置された原稿及び媒体の位置及び向きを検出した場合、外部から取得した情報に基づいて実行すべき処理を決定する手段とを備えることを特徴とする。
【００３３】
本発明にあっては、実行すべき処理に係る処理情報と原稿及び媒体の位置及び向きに係る情報との関係を外部から取得するようにしているため、例えば、これらの情報をサーバ装置で管理することがき、複数の画像読取装置で同一の対応表を用いることができる。
【００３４】
本発明に係る画像記録装置は、画像データに基づく画像をシート上に記録する画像記録装置において、前述した発明の何れか１つに記載の画像読取装置の使用方法を報知する手段を備えることを特徴とする。
【００３５】
本発明にあっては、前述した画像読取装置の使用方法を報知する。したがって、シート上への記録、操作パネルへの表示、電子メールによる通知などを行うことにより、利用者はそれらを閲覧しながら操作することができ、利便性が向上する。
【００３６】
本発明に係る画像記録装置は、利用者が認証されたか否かを判断する手段と、利用者が認証されていないと判断した場合、前記使用方法の報知を禁止する手段とを備えることを特徴とする。
【００３７】
本発明にあっては、利用者が認証されない場合には使用方法の報知を禁止するようにしているため、不正な利用者による使用が制限される。
【発明の効果】
【００３８】
本発明による場合は、実行すべき処理に係る処理情報と原稿台に載置される原稿の位置及び向きに係る情報とを関連付けて記憶する記憶手段を備えており、原稿台に載置された原稿の位置及び向きを検出し、検出された原稿の位置及び向きに対応した処理情報を読出して処理を実行するようにしている。したがって、操作パネル、及びバーコードが記載された特別なシートなどを用いることなく、読取用の原稿のみを用いることにより、利用者認証、実行すべき処理に対する設定を行うことができる。すなわち、利用者は複雑なキー操作を行うことなく各種の設定を容易に行うことができる。また、原稿を載置すべき位置及び向きを知り得る者のみが利用可能となるため、利用者認証処理などの機密性を考慮する必要がある処理について優れた効果が得られる。
【００３９】
本発明による場合は、原稿台に載置された複数の原稿の画像を読取るようにしている。複数の原稿の組合わせによって処理に対する設定条件、認証条件を定めることができるため、操作パネル、及びバーコードが記載された特別なシートなどを用いることなく、多種の設定、多人数に対する利用認証を行うことができる。
【００４０】
本発明による場合は、実行すべき処理に係る処理情報と原稿台に載置される原稿及び媒体の位置及び向きに係る情報とを関連付けて記憶する記憶手段を備えており、原稿台に載置された原稿及び媒体の位置及び向きを検出し、検出された位置及び向きに対応した処理情報を読出して処理を実行するようにしている。したがって、操作パネル、又はバーコードが記載された特別なシートなどを用いることなく、読取用の原稿と媒体とを組合わせて使用することにより、利用者認証、実行すべき処理に対する設定などを行うことができる。特に媒体の面積を原稿の面積より小さくすることにより、読取領域が小さな原稿台が搭載されている機種であっても適用可能となる。
【００４１】
本発明による場合は、実行すべき処理に係る処理情報と原稿台に載置される媒体の位置及び向きに係る情報とを関連付けて記憶する記憶手段を備えており、原稿台に載置された媒体の位置及び向きを検出し、検出された位置及び向きに対応した処理情報を読出して処理を実行するようにしている。したがって、操作パネル、及びバーコードが記載された特別なシートなどを用いることなく、読取用の原稿と媒体とを組合わせて使用することにより、利用者認証、実行すべき処理に対する設定を行うことができる。特に、媒体と原稿とを同時的に読取る必要がないため、読取領域が小さな原稿台が搭載されている機種であっても適用可能となる。
【００４２】
本発明による場合は、記憶手段に記憶してある処理情報は、処理に対する設定条件としているため、２ＵＰ印刷、４ＵＰ印刷、ステープル処理、穿孔処理、電子メール送信処理などを実行させることができる。
【００４３】
本発明による場合は、所定の位置及び向きに載置された原稿を検出した場合、設定を実行しないようにしているため、不正な利用者による使用を制限することができる。
【００４４】
本発明による場合は、記憶手段に記憶してある処理情報は、利用者認証を行うために認証情報であるため、認証されない利用者による不正使用を制限することができる。
【００４５】
本発明による場合は、検出手段による検出の要否に係る選択を受付け、検出が不要である旨の選択を受付けた場合、検出手段による検出を実行しないようにしている。したがって、検出機能をオフにした場合、配置された通りに原稿の読取りが可能となる。
【００４６】
本発明による場合は、実行すべき処理に係る処理情報と原稿の位置及び向きに係る情報とを受付け、受付けた２つの情報を関連付けて記憶手段に記憶するようにしている。したがって、利用者自身がよく使用する設定を覚えやすい原稿配置に設定することにより、利便性を向上させることができる。
【００４７】
本発明による場合は、実行すべき処理に係る処理情報と原稿及び媒体の位置及び向きに係る情報とを受付け、受付けた２つの情報を関連付けて記憶手段に記憶するようにしている。したがって、利用者自身がよく使用する設定を覚えやすい原稿及び媒体の配置に設定することにより、利便性を向上させることができる。
【００４８】
本発明による場合は、実行すべき処理に係る処理情報と原稿の位置及び向きに係る情報との関係を外部から取得するようにしているため、例えば、これらの情報をサーバ装置で管理することがき、複数の画像読取装置で同一の対応表を用いることができる。
【００４９】
本発明による場合は、実行すべき処理に係る処理情報と原稿及び媒体の位置及び向きに係る情報との関係を外部から取得するようにしていため、例えば、これらの情報をサーバ装置で管理することがき、複数の画像読取装置で同一の対応表を用いることができる。
【００５０】
本発明による場合は、前述した画像読取装置の使用方法を報知する。したがって、シート上への記録、操作パネルへの表示、電子メールによる通知などを行うことにより、利用者はそれらを閲覧しながら操作することができ、利便性を向上させることができる。
【００５１】
本発明による場合は、利用者が認証されない場合には使用方法の報知を禁止するようにしているため、不正な利用者による使用を制限することができる。
【発明を実施するための最良の形態】
【００５２】
以下、本発明をその実施の形態を示す図面に基づいて具体的に説明する。
実施の形態１．
図１は本発明に係る画像読取装置及び画像記録装置の構成を説明するブロック図である。図中１００は本発明に係る画像読取装置であり、図中２００は本発明に係る画像記録装置である。両者はＬＡＮなどの通信ネットワークＮを介して接続されている。また、通信ネットワークＮには、ＰＣ３００及びサーバ４００が接続されている。
【００５３】
画像読取装置１００は、制御部１０１、画像入力部１０３、記憶部１０４、ユーザＩＦ１０５、通信部１０６、認識部１０７、認証部１０８、設定部１０９、機能制限部１１０、自動原稿送り装置１１１を備えている。これらのハードウェア各部はバス１０２を介して互いに接続されている。
【００５４】
制御部１０１は、ＣＰＵ、ＲＯＭ、ＲＡＭなどを備えており、ＲＯＭに予め格納されている制御プログラムをＣＰＵが実行することにより、前述したハードウェア各部の制御を行い、装置全体を本発明の画像読取装置として動作させる。
【００５５】
画像入力部１０３は、読取対象の原稿が載置されるガラス製の原稿台１１２（図２参照）、原稿台に載置された原稿に読取用の光を照射する光源、ＣＣＤ（Charge Coupled Device）等を利用したイメージセンサ、ＡＤ変換器等を備えており、所定の読取位置にセットされた原稿の画像をイメージセンサに結像させてアナログ電気信号に変換し、得られたアナログ電気信号をＡＤ変換器によりＡＤ変換する。そして、画像入力部１０３は、ＡＤ変換して得られたデジタル信号に対して原稿読取時の光源の配光特性、イメージセンサの感度ムラ等に対する補正を行うことによりページ単位の画像データを生成する。
【００５６】
記憶部１０４は、ＥＥＰＲＯＭなどの不揮発性メモリであり、その記憶領域の一部は設定テーブル１０４ａ及び認証テーブル１０４ｂとして利用されている。設定テーブル１０４ａでは、原稿台１１２に載置された原稿の配置（位置及び向き）と実行すべき処理に対する設定との関係を記憶している。認証テーブル１０４ｂでは、原稿台１１２に載置された原稿の配置と認証の可否との関係を記憶している。
【００５７】
ユーザＩＦ１０５は、利用者による操作を受付ける各種操作ボタン、利用者に報知すべき情報を表示する液晶表示パネル等を備えている。ユーザＩＦ１０５では、原稿読取の開始指示、読取った原稿画像の送信先などの設定を受付けると共に、装置の動作状況、操作ボタンを利用して設定された各種設定値などを表示する。
【００５８】
通信部１０６は、通信ネットワークＮを介して接続された画像記録装置２００、ＰＣ３００、サーバ４００と通信を行うためのインタフェースであり、画像記録装置２００、ＰＣ３００、サーバ４００に対して各種の情報を送信すると共に、これらの装置から送信される情報を受信する。
【００５９】
認識部１０７は、原稿台１１２に配置された原稿の配置についての認識を行う。原稿配置は、原稿台１１２の面に対して複数の原稿検知センサを配置し、各原稿検知センサのオン・オフの状況を調べることにより認識することができる。また、原稿台１１２に載置された原稿を読取って取得した画像データについて画像処理を行い、原稿の配置に関する情報を取得する構成であってもよい。
【００６０】
認証部１０８は、原稿台１１２に載置された原稿の配置に応じて利用者に対する認証処理を行う。すなわち、認識部１０７が原稿の配置に関する情報を取得した場合、取得した情報を検索キーとして認証テーブル１０４ｂを検索することにより利用者を認証できるか否かを判断する。
【００６１】
設定部１０９は、原稿台１１２に載置された原稿の配置に応じて各種処理に対する設定を行う。すなわち、認識部１０７が原稿の配置に関する情報を取得した場合、取得した情報を検索キーとして設定テーブル１０４ａを検索することにより、原稿配置に対応付けて記憶されている設定情報を読出し、読出した設定情報に基づいて設定を行う。
【００６２】
なお、本実施の形態では、認識部１０７、認証部１０８、設定部１０９を個別に設ける構成としたが、これらを１つのＩＣチップ上で動作するように構成してもよい。
【００６３】
機能制限部１１０は、原稿配置に基づく利用者認証及び設定に関する機能制限を行う。機能制限の要否は、例えばユーザＩＦ１０５により受付ける。機能制限が行われている場合には、設定テーブル１０４ａ及び認証テーブル１０４ｂに登録されている原稿配置であっても利用者認証及び設定を行わずに、通常の読取動作を行う。
【００６４】
自動原稿送り装置１１１（以下、ＡＤＦ１１１という）は、複数の原稿を載置するための原稿トレイ、原稿トレイに載置された原稿を装置内部に取込むピックアップローラ、取込んだ原稿を画像入力部１０３まで搬送する搬送ローラ等を備えている。
【００６５】
画像記録装置２００は、制御部２０１、記憶部２０３、生成部２０４、ユーザＩＦ２０５、通信部２０６、設定部２０７、機能制限部２０８、印刷部２０９を備えている。これらのハードウェア各部はバス２０２を介して互いに接続されている。
【００６６】
制御部２０１は、ＣＰＵ、ＲＯＭ、ＲＡＭなどを備えており、ＲＯＭに予め格納されている制御プログラムをＣＰＵが実行することにより、前述したハードウェア各部の制御を行い、装置全体を本発明の画像記録装置として動作させる。
【００６７】
記憶部２０３は、通信部２０６を通じて受信した印刷データなどを記憶する。生成部２０４は、受信した印刷データを展開して印刷用のイメージを生成する。ユーザＩＦ２０５は、利用者による操作を受付ける各種操作ボタン、利用者に報知すべき情報を表示する液晶表示パネル等を備えている。設定部２０７は印刷設定を行う。機能制限部２０８は、印刷機能に対する制限を行う。印刷部２０９は生成部２０４にて展開された印刷用のイメージに基づいて画像を用紙上に記録する。
【００６８】
なお、本実施の形態では、生成部２０４及び設定部２０７を個別に設ける構成としたが、１つのＩＣチップ上で動作するように構成してもよい。
【００６９】
図２及び図３は原稿台１１２上の原稿の配置例を説明する模式図である。原稿台１１２は、例えば、Ａ４サイズの原稿２枚、Ｂ５サイズの原稿４枚を載置できるだけの面積を有する。図２（ａ）は、２枚の原稿１１，１２をそれぞれ原稿台１１２の左上隅、右上隅に合わせて載置している様子を示している。このような配置で原稿１１，１２が載置された場合、２ＵＰで印刷することが設定テーブル１０４ａに登録されている。ここで、２ＵＰ印刷とは１枚の用紙に２ページ分の原稿画像を印刷することをいう。図２（ｂ）は、２枚の原稿１１，１２をそれぞれ原稿台１１２の左上隅、右下隅に合わせて載置している様子を示している。このような配置で原稿１１，１２が載置された場合、両面印刷を行うことが設定テーブル１０４ａに登録されている。図２（ｃ）は、２枚の原稿１１，１２をそれぞれ原稿台１１２の左上隅、右上隅に合わせて載置し、しかも原稿１２を横向きに載置している様子を示している。このような配置で原稿１１，１２が載置された場合、Ａ３に並べて印刷を行うことが設定テーブル１０４ａに登録されている。
【００７０】
図３（ａ）は、４枚の原稿２１〜２４をそれぞれ原稿台１１２の左上隅、右上隅、左下隅、右下隅に合わせて載置している様子を示している。このような配置で原稿２１〜２４が載置された場合、４ＵＰで印刷することが設定テーブル１０４ａに登録されている。ここで、４ＵＰ印刷とは１枚の用紙に４ページ分の原稿画像を印刷することをいう。図３（ｂ）は、原稿台１１２の２枚の原稿１１，１２をそれぞれ原稿台１１２の左下隅、右上隅に合わせて載置している様子を示している。このような配置で原稿１１，１２が載置された場合、読取った原稿画像を互いに合成して印刷することが設定テーブル１０４ａに登録されている。図３（ｃ）は、１枚の原稿１１を原稿台１１２の左下隅に合わせて載置している様子を示している。このような配置で原稿１１が載置された場合、ＡＤＦ１１１で読込んだ原稿画像を重ねて印刷することが設定テーブル１０４ａに登録されている。
【００７１】
また、画像読取装置１００は、原稿配置及び機能の説明をユーザＩＦ１０５への表示、又は画像記録装置２００への印刷により行う。図４は原稿配置及び機能を説明する際に表示又は印刷される画像の一例を示す模式図である。
【００７２】
図５は実施の形態１に係る画像読取装置１００が実行する処理の手順を説明するフローチャートである。画像読取装置１００の制御部１０１は、組合わせ読込みのモードであるか否かを判断する（ステップＳ１１）。組合わせ読込みのモードであると判断した場合（Ｓ１１：ＹＥＳ）、制御部１０１は原稿台１１２に原稿があるか否かを判断する（ステップＳ１２）。
【００７３】
原稿台１１２に原稿があると判断した場合（Ｓ１２：ＹＥＳ）、原稿台１１２及びＡＤＦ１１１から原稿の読取りを行う（ステップＳ１３）。次いで、制御部１０１は、原稿台１１２に載置されている原稿の配置は適切であるか否かを判断する（ステップＳ１４）。設定テーブル１０４ａに登録されていない原稿配置である場合、原稿の配置は適切でないと判断し（Ｓ１４：ＮＯ）、制御部１０１は、処理をステップＳ１３へ戻す。
【００７４】
原稿の配置が適切であると判断した場合（Ｓ１４：ＹＥＳ）、その原稿配置に対応した設定を設定テーブル１０４ａから読出し、読出した設定を反映させる（ステップＳ１５）。次いで、制御部１０１は、原稿を読取って取得した画像データに基づいて印刷データを生成する（ステップＳ１６）。生成された印刷データは、例えば、画像記録装置２００へ送信される。
【００７５】
ステップＳ１１で組合わせ読込みのモードでないと判断した場合（Ｓ１１：ＮＯ）、又はステップＳ１２で原稿台１１２に原稿がないと判断した場合（Ｓ１２：ＮＯ）、通常の原稿読取りを行い（ステップＳ１７）、得られた画像データに基づいて印刷データを生成する（Ｓ１６）。生成された印刷データは、例えば、画像記録装置２００へ送信される。
【００７６】
なお、本実施の形態では、１つの設定条件に対して１つの原稿配置を割り当てる構成としたが、１つの設定条件に対して適切な原稿配置と不正な原稿配置とを定めてもよい。図６は原稿台１１２上の原稿の配置例を説明する模式図である。図６（ａ）は、２枚の原稿１１，１２をそれぞれ原稿台１１２の左上隅、右上隅に合わせて載置している様子を示しており、２ＵＰで印刷するための適切な配置として設定テーブル１０４ａで定義されている。一方、図６（ｂ）は、２枚の原稿１１，１２をそれぞれ原稿台１１２の左上隅、右下隅に合わせて載置している様子を示しており、２ＵＰで印刷するための不正な配置として設定テーブル１０４ａで定義されている。
【００７７】
また、本実施の形態では、画像読取装置１００の記憶部１０４内に設定テーブル１０４ａ及び認証テーブル１０４ｂを設ける構成としたが、通信ネットワークＮを介して接続されているサーバ４００内にこれらのテーブルを記憶させておき、サーバ４００から必要な情報を取得する構成であってもよい。
【００７８】
また、原稿配置及び機能の説明をユーザＩＦ１０５が備える液晶表示パネルに表示することにより、又は画像記録装置２００により用紙上に記録することにより行う構成としたが、原稿配置及び機能の説明をメール本文に含む電子メールを作成し、通信ネットワークＮを介してＰＣ３００へ送信する構成としてもよい。
【００７９】
実施の形態２．
実施の形態１では、複数の原稿を組合わせて読込み、原稿台１１２に載置されている原稿の配置に基づいて実行すべき処理の設定を行う構成としたが、画像入力部１０３での読取対象となる適宜の媒体と原稿とを組合わせて使用し、利用者認証及び実行すべき処理の設定を行う構成としてもよい。なお、原稿と組合わせて使用される適宜の媒体を以下ではプレートと称する。
【００８０】
図７は原稿台１１２上のプレート及び原稿の配置例を説明する模式図である。原稿と組合わせて使用するプレートとしては、紙、プラスチック、金属、木材、布などの材料で適宜の大きさ及び厚みに形成されたものを使用することができる。図７（ａ）は、プレート９０及び原稿３０をそれぞれ原稿台１１２の左上隅、右上隅に合わせて載置している様子を示している。このような配置でプレート９０及び原稿３０が載置された場合、利用者を認証することが認証テーブル１０４ｂに登録されている。図７（ｂ）は、プレート９０及び２枚の原稿３１，３２をそれぞれ原稿台１１２の左上隅、左下隅、右下隅に合わせて載置している様子を示している。このような配置でプレート９０及び２枚の原稿３１，３２が載置された場合、利用者を認証し、２ＵＰで印刷することが設定テーブル１０４ａ及び認証テーブル１０４ｂに登録されている。図７（ｃ）は、プレート９０及び原稿３３をそれぞれ原稿台１１２の左上隅、右下隅に合わせて載置している様子を示している。このような配置でプレート９０及び原稿３３が載置された場合、利用者を認証し、ＡＤＦ１１１で読込んだ原稿画像を重ねて印刷することが設定テーブル１０４ａ及び認証テーブル１０４ｂに登録されている。
【００８１】
なお、原稿と組合わせて使用するプレート９０としては必ずしも無地のものである必要はなく、その表面に情報が記録されているものを用いることも可能である。図８は原稿と組合わせて使用するプレートの他の例を示す模式図である。図８に示したプレート９１表面の中央部には２次元コード９１ａが記録されている。この２次元コード９１ａにより記述される情報は、実行すべき処理に用いる情報、利用者認証を行う際に用いる情報等である。２次元コード９１ａは画像入力部１０３によって読込まれ、制御部１０１が解析を行うことにより記述されている情報が抽出される。認証部１０８及び設定部１０９では、抽出された情報を利用して利用者認証及び設定処理を行うことができる。
【００８２】
また、画像読取装置１００は、原稿及びプレートの配置に関した説明をユーザＩＦ１０５への表示、又は画像記録装置２００への印刷により行う。図９は原稿及びプレートの配置に関した説明を行う際に表示又は印刷される画像の一例を示す模式図である。
【００８３】
図１０は実施の形態２に係る画像読取装置１００が実行する処理の手順を説明するフローチャートである。画像読取装置１００の制御部１０１は、プレート使用のモードであるか否かを判断する（ステップＳ２１）。プレート使用のモードであると判断した場合（Ｓ２１：ＹＥＳ）、制御部１０１は原稿台１１２に原稿があるか否かを判断する（ステップＳ２２）。
【００８４】
原稿台１１２に原稿があると判断した場合（Ｓ２２：ＹＥＳ）、原稿台１１２及びＡＤＦ１１１から原稿の読取りを行う（ステップＳ２３）。次いで、制御部１０１は、原稿台１１２に載置されている原稿及びプレートの配置は適切であるか否かを判断する（ステップＳ２４）。認証テーブル１０４ｂに登録されていない原稿及びプレートの配置である場合、原稿及びプレートの配置は適切でないと判断し（Ｓ２４：ＮＯ）、制御部１０１は、処理をステップＳ２３へ戻す。
【００８５】
原稿の配置が適切であると判断した場合（Ｓ２４：ＹＥＳ）、認証処理を行うと共に（ステップＳ２５）、その原稿及びプレートの配置に対応した設定を設定テーブル１０４ａから読出し、読出した設定を反映させる（ステップＳ２６）。次いで、制御部１０１は、原稿を読取って取得した画像データに基づいて印刷データを生成する（ステップＳ２７）。生成された印刷データは、例えば、画像記録装置２００へ送信される。
【００８６】
ステップＳ２１でプレート使用のモードでないと判断した場合（Ｓ２１：ＮＯ）、又はステップＳ２２で原稿台１１２に原稿がないと判断した場合（Ｓ２２：ＮＯ）、通常の原稿読取りを行い（ステップＳ２８）、得られた画像データに基づいて印刷データを生成する（Ｓ２７）。生成された印刷データは、例えば、画像記録装置２００へ送信される。
【００８７】
実施の形態３．
実施の形態２では、プレートと原稿とを組合わせて使用することにより利用者に対する認証を行う構成としたが、原稿台１１２を利用して原稿の読込みを複数回行う場合、１回目の読込みでプレート及び原稿の配置に基づいて利用者認証、実行すべき処理に対する設定を行い、２回目以降の読込みでは１回目の認証された状態、設定された状態を維持するようにしてもよい。
【００８８】
図１１及び図１２は原稿台１１２上のプレート及び原稿の配置例を説明する模式図である。図１１（ａ）は１回目の読込時の配置例を示しており、プレート９０及び原稿４１をそれぞれ原稿台１１２の左上隅、右下隅に合わせて載置している様子を示している。このような配置でプレート９０及び原稿４１が載置された場合、利用者を認証し、その認証状態をログアウトするまで維持することが認証テーブル１０４ｂに登録されている。または、このような配置でプレート９０及び原稿４１が載置された場合、実行すべき処理に対する設定を行い、その設定をログアウトするまで維持することが設定テーブル１０４ａに登録されている。したがって、図１１（ｂ）に示したように、２回目以降の原稿の読込みではプレート９０を使用せずとも認証状態、設定状態を維持したうえで、原稿台１１２に載置された原稿４２を読取ることができる。
【００８９】
図１２（ａ）は１回目の読込時の配置例を示しており、プレート９０を原稿台１１２の右下隅に合わせて載置している様子を示している。このような配置でプレートが載置された場合、利用者を認証し、その認証状態をログアウトするまで維持することが認証テーブル１０４ｂに登録されている。または、このような配置でプレート９０が載置された場合、実行すべき処理に対する設定を行い、その設定をログアウトするまで維持することが設定テーブル１０４ａに登録されている。したがって、図１２（ｂ）に示したように、２回目以降の原稿の読込みではプレート９０を使用せずとも認証状態、設定状態を維持したうえで、原稿台１１２に載置された原稿４３を読取ることができる。
【００９０】
図１３は実施の形態３に係る画像読取装置１００が実行する処理の手順を説明するフローチャートである。画像読取装置１００の制御部１０１は、プレート使用のモードであるか否かを判断する（ステップＳ３１）。プレート使用のモードであると判断した場合（Ｓ３１：ＹＥＳ）、制御部１０１は原稿台１１２に原稿があるか否かを判断する（ステップＳ３２）。
【００９１】
原稿台１１２に原稿があると判断した場合（Ｓ３２：ＹＥＳ）、原稿台１１２から原稿の読取りを行う（ステップＳ３３）。次いで、制御部１０１は、原稿台１１２に載置されている原稿及びプレートの配置は適切であるか否かを判断する（ステップＳ３４）。認証テーブル１０４ｂに登録されていない原稿及びプレートの配置である場合、原稿及びプレートの配置は適切でないと判断し（Ｓ３４：ＮＯ）、制御部１０１は、処理をステップＳ３３へ戻す。
【００９２】
原稿の配置が適切であると判断した場合（Ｓ３４：ＹＥＳ）、認証処理を行うと共に（ステップＳ３５）、その原稿及びプレートの配置に対応した設定を設定テーブル１０４ａから読出し、読出した設定を反映させる（ステップＳ３６）。
【００９３】
次いで、制御部１０１は、原稿台１１２に次の原稿があるか否かを判断する（ステップＳ３７）。原稿台１１２に次の原稿があると判断した場合（Ｓ３７：ＹＥＳ）、原稿台１１２から原稿の読取りを行い（ステップＳ３８）、処理をステップＳ３７へ戻す。
【００９４】
原稿台１１２に次の原稿がないと判断した場合（Ｓ３７：ＮＯ）、制御部１０１は、原稿を読取って取得した画像データに基づいて印刷データを生成する（ステップＳ３９）。生成された印刷データは、例えば、画像記録装置２００へ送信される。
【００９５】
ステップＳ３１でプレート使用のモードでないと判断した場合（Ｓ３１：ＮＯ）、又はステップＳ３２で原稿台１１２に原稿がないと判断した場合（Ｓ３２：ＮＯ）、通常の原稿読取りを行い（ステップＳ４０）、得られた画像データに基づいて印刷データを生成する（Ｓ３９）。生成された印刷データは、例えば、画像記録装置２００へ送信される。
【図面の簡単な説明】
【００９６】
【図１】本発明に係る画像読取装置及び画像記録装置の構成を説明するブロック図である。
【図２】原稿台上の原稿の配置例を説明する模式図である。
【図３】原稿台上の原稿の配置例を説明する模式図である。
【図４】原稿配置及び機能を説明する際に表示又は印刷される画像の一例を示す模式図である。
【図５】実施の形態１に係る画像読取装置が実行する処理の手順を説明するフローチャートである。
【図６】原稿台上の原稿の配置例を説明する模式図である。
【図７】原稿台上のプレート及び原稿の配置例を説明する模式図である。
【図８】原稿と組合わせて使用するプレートの他の例を示す模式図である。
【図９】原稿及びプレートの配置に関した説明を行う際に表示又は印刷される画像の一例を示す模式図である
【図１０】実施の形態２に係る画像読取装置が実行する処理の手順を説明するフローチャートである。
【図１１】原稿台上のプレート及び原稿の配置例を説明する模式図である。
【図１２】原稿台上のプレート及び原稿の配置例を説明する模式図である。
【図１３】実施の形態３に係る画像読取装置が実行する処理の手順を説明するフローチャートである。
【符号の説明】
【００９７】
１００  画像読取装置
１０１  制御部
１０２  バス
１０３  画像入力部
１０４  記憶部
１０４ａ  設定テーブル
１０４ｂ  認証テーブル
１０５  ユーザＩＦ
１０６  通信部
１０７  認識部
１０８  認証部
１０９  設定部
１１０  機能制限部
１１１  自動原稿送り装置
２００  画像記録装置
３００  ＰＣ
４００  サーバ
【図１】
2007282115.tif 000003
【図２】
2007282115.tif 000004
【図３】
2007282115.tif 000005
【図４】
2007282115.tif 000006
【図５】
2007282115.tif 000007
【図６】
2007282115.tif 000008
【図７】
2007282115.tif 000009
【図８】
2007282115.tif 000010
【図９】
2007282115.tif 000011
【図１０】
2007282115.tif 000012
【図１１】
2007282115.tif 000013
【図１２】
2007282115.tif 000014
【図１３】
2007282115.tif 000015